(57)【要約】      （修正有）【課題】樹木の生育を詳細に長期間に亘って鑑賞することが可能で、かつ室内緑化に有益な鉢植え樹木を提供する。【解決手段】鉢植え樹木セットは、鉢植え容器と、鉢植え容器に入れる育成土と、育成土に蒔く樹木の実と、をセットにし、鉢植え容器に育成土を入れて樹木の実を蒔き、樹木の実から樹木を育成する。また、鉢植え容器と、鉢植え容器に入れる育成土と、育成土に挿し木する樹木と、をセットにし、鉢植え容器に育成土を入れて樹木の挿し木を行い、挿し木して樹木を育成する。また、鉢植え容器２１と、鉢植え容器２１に入れる育成土２２と、育成土２２に植える台木２３と、台木２３に接ぎ木する樹木２４と、をセットにし、鉢植え容器２１に育成土２２を入れて台木２３を植え、台木２３に接ぎ木して樹木２４を育成する。【選択図】図５
0003145434.tif 000002
【実用新案登録請求の範囲】
【請求項１】
鉢植え容器と、
前記鉢植え容器に入れる育成土と、
前記育成土に蒔く樹木の実と、
をセットにし、
前記鉢植え容器に前記育成土を入れて前記樹木の実を蒔き、
前記樹木の実から樹木を育成することを特徴とする鉢植え樹木セット。
【請求項２】
鉢植え容器と、
前記鉢植え容器に入れる育成土と、
前記育成土に挿し木する樹木と、
をセットにし、
前記鉢植え容器に前記育成土を入れて前記樹木の挿し木を行い、
前記挿し木して前記樹木を育成することを特徴とする鉢植え樹木セット。
【請求項３】
鉢植え容器と、
前記鉢植え容器に入れる育成土と、
前記育成土に植える台木と、
前記台木に接ぎ木する樹木と、
をセットにし、
前記鉢植え容器に前記育成土を入れて前記台木を植え、
前記台木に接ぎ木して前記樹木を育成することを特徴とする鉢植え樹木セット。
【請求項４】
請求項１に記載の鉢植え樹木セット、または請求項２に記載の鉢植え樹木セット、または請求項３に記載の鉢植え樹木セットから育成された樹木を有することを特徴とする鉢植え樹木。
【考案の詳細な説明】
【技術分野】
【０００１】
この考案は、鉢植え容器で樹木を育成する鉢植え樹木セットおよび育成した樹木を有する鉢植え樹木に関するものである。
【背景技術】
【０００２】
従来は、樹木の育成方法として、一般の露地植えと主に観賞用としての鉢植えがされ、露地植えは、例えば、図７に示すように、桜桃などの樹木の実を育成土に直接蒔き、所定期間養成して植木鉢に移植して観賞用にしたものがある。
【０００３】
また、例えば、図８に示すように、蜜柑などの樹木の挿し木を育成土に直接挿し、所定期間養成して植木鉢に移植して観賞用にしたものがある。
【０００４】
また、観賞用などで市場性が注目されている盆栽用としての鉢植え栽培も、ハウス内で行われていた（特許文献１）。
【特許文献１】特開２００７−１９５５０９号公報
【考案の開示】
【考案が解決しようとする課題】
【０００５】
このように、一般の露地植えと主に観賞用としての鉢植えも、室内で行われることがなく、観賞や室内緑化のために鉢植え樹木を室内に置いても、樹木が生育した状態であり、樹木の生育を詳細に長期間に亘って鑑賞することができなかった。
【０００６】
この考案は、以上の点を考慮してなされたもので、樹木の生育を詳細に長期間に亘って鑑賞する可能で、かつ室内緑化に有益な鉢植え樹木セットおよび鉢植え樹木を提供することを目的としている。
【課題を解決するための手段】
【０００７】
前記課題を解決し、かつ目的を達成するために、この考案は、以下のように構成した。
【０００８】
請求項１に記載の考案は、
鉢植え容器と、
前記鉢植え容器に入れる育成土と、
前記育成土に蒔く樹木の実と、
をセットにし、
前記鉢植え容器に前記育成土を入れて前記樹木の実を蒔き、
前記樹木の実から樹木を育成することを特徴とする鉢植え樹木セットである。
【０００９】
請求項２に記載の考案は、
鉢植え容器と、
前記鉢植え容器に入れる育成土と、
前記育成土に挿し木する樹木と、
をセットにし、
前記鉢植え容器に前記育成土を入れて前記樹木の挿し木を行い、
前記挿し木して前記樹木を育成することを特徴とする鉢植え樹木セットである。
【００１０】
請求項３に記載の考案は、
鉢植え容器と、
前記鉢植え容器に入れる育成土と、
前記育成土に植える台木と、
前記台木に接ぎ木する樹木と、
をセットにし、
前記鉢植え容器に前記育成土を入れて前記台木を植え、
前記台木に接ぎ木して前記樹木を育成することを特徴とする鉢植え樹木セットである。
【００１１】
請求項４に記載の考案は、
請求項１に記載の鉢植え樹木セット、または請求項２に記載の鉢植え樹木セット、または請求項３に記載の鉢植え樹木セットから育成された樹木を有することを特徴とする鉢植え樹木である。
【考案の効果】
【００１２】
前記構成により、この考案は、以下のような効果を有する。
【００１３】
請求項１に記載の考案では、鉢植え容器と、鉢植え容器に入れる育成土と、育成土に蒔く樹木の実と、をセットして店頭でそのまま販売したり、梱包して販売できる。また、鉢植え樹木セットの使用は、鉢植え容器に育成土を入れて樹木の実を蒔き、実から樹木が育成され、この樹木の育成を長期間に亘って鑑賞でき、かつ室内緑化になる。
【００１４】
請求項２に記載の考案では、鉢植え容器と、鉢植え容器に入れる育成土と、育成土に挿し木する樹木と、をセットにして店頭でそのまま販売したり、梱包して販売できる。また、鉢植え樹木セットの使用は、鉢植え容器に育成土を入れて樹木の挿し木を行い、挿し木により樹木が育成され、この樹木の育成を長期間に亘って鑑賞でき、かつ室内緑化になる。
【００１５】
請求項３に記載の考案では、鉢植え容器と、鉢植え容器に入れる育成土と、育成土に植える台木と、台木に接ぎ木する樹木と、をセットにして店頭でそのまま販売したり、梱包して販売できる。また、鉢植え樹木セットの使用は、鉢植え容器に育成土を入れて台木を植え、台木に接ぎ木して樹木が育成され、この樹木の育成を長期間に亘って鑑賞でき、かつ室内緑化になる。
【００１６】
請求項４に記載の考案では、請求項１に記載の鉢植え樹木セット、または請求項２に記載の鉢植え樹木セット、または請求項３に記載の鉢植え樹木セットから育成された樹木により、長期間に亘って鑑賞でき、かつ室内緑化になる。
【考案を実施するための最良の形態】
【００１７】
以下、この考案の鉢植え樹木の実施の形態について説明する。この考案の実施の形態は、考案の最も好ましい形態を示すものであり、この考案はこれに限定されない。
【００１８】
［第１の実施の形態］
図１は第１の実施の形態の鉢植え樹木セットを示す図である。この実施の形態の鉢植え樹木セットは、図１（ａ）に示すように、鉢植え容器１と、この鉢植え容器１に入れる育成土２と、育成土２に蒔く樹木の実３と、をセットにしたものである。
【００１９】
この鉢植え樹木セットは、鉢植え容器１と、育成土２と、樹木の実３と、をセットして店頭でそのまま販売することができる。また、図１（ｂ）に示すように、鉢植え容器１と、育成土２と、樹木の実３は、それぞれダンボール箱９０に入れて梱包して販売できる。
【００２０】
図２は第１の実施の形態の鉢植え樹木の育成を示す図である。この実施の形態では、梱包された鉢植え樹木セットを購入した場合は梱包を解き、梱包されないで購入した場合はそのまま、例えば鉢植え容器１を室内に置き、この鉢植え容器１に育成土２を入れる。そして、育成土２に樹木の実３を蒔き、コップ４などから水を所定量入れる。所定期間が経過すると、実３から根３ａが出て成長し、さらに芽３ｂが出て成長し、幹３ｃとなり、幹３ｃ  から葉３ｄが出る。
【００２１】
このようにして、鉢植え樹木セットの使用は、室内に置かれた鉢植え容器１に育成土２を入れて樹木の実３を蒔き、実３から樹木が育成され、この樹木の育成を長期間に亘って鑑賞でき、かつ室内緑化になる。
【００２２】
［第２の実施の形態］
図３は第２の実施の形態の鉢植え樹木セットを示す図である。この実施の形態の鉢植え樹木セットは、図３（ａ）に示すように、鉢植え容器１１と、この鉢植え容器１１に入れる育成土１２と、この育成土１２に挿し木する樹木１３と、をセットにしたものである。この挿し木する樹木１３は、切り口側１３ａに給水部材１８を設け、給水部材１８から切り口側１３ａに水分を供給することで、挿し木する樹木１３が長期間枯れないようにしている。
【００２３】
この鉢植え樹木セットは、鉢植え容器１１と、育成土１２と、挿し木する樹木１３と、をセットして店頭でそのまま販売することができる。また、図３（ｂ）に示すように、鉢植え容器１１と、育成土１２と、挿し木する樹木１３は、それぞれダンボール箱９０に入れて梱包して販売できる。
【００２４】
図４は第２の実施の形態の鉢植え樹木の育成を示す図である。この実施の形態では、梱包された鉢植え樹木セットを購入した場合は梱包を解き、梱包されないで購入した場合はそのまま、例えば鉢植え容器１１を室内に置き、この鉢植え容器１１に育成土１２を入れる。そして、育成土１２に樹木１３の挿し木を行い、コップ１４などから水を所定量入れる。所定期間が経過すると、樹木１３から根１３ｂが出て成長し、さらに芽１６ｃが出て成長する。
【００２５】
このようにして、鉢植え樹木セットの使用は、室内に置かれた鉢植え容器１１に育成土１２を入れ、この育成土１２に樹木１３の挿し木を行い、挿し木により樹木１３が育成され、この樹木１３の育成を長期間に亘って鑑賞でき、かつ室内緑化になる。
［第３の実施の形態］
図５は第３の実施の形態の鉢植え樹木セットを示す図である。この実施の形態の鉢植え樹木セットは、図３（ａ）に示すように、鉢植え容器２１と、この鉢植え容器２１に入れる育成土２２と、この育成土２２に植える台木２３と、この台木２３に接ぎ木する樹木２４と、をセットにしたものである。この台木２３は、切り口側２３ａに給水部材２７を設け、給水部材２７から切り口側２３ａに水分を供給することで、台木２３が長期間枯れないようにしている。また、接ぎ木する樹木２４にも切り口側２４ａに給水部材２８を設け、給水部材２８から切り口側２４ａに水分を供給することで、接ぎ木する樹木２４が長期間枯れないようにしている。
【００２６】
図６は第３の実施の形態の鉢植え樹木の育成を示す図である。この実施の形態では、梱包された鉢植え樹木セットを購入した場合は梱包を解き、梱包されないで購入した場合はそのまま、例えば鉢植え容器２１を室内に置き、この鉢植え容器２１に育成土２２を入れる。そして、育成土２２に台木２３を植え、台木２３に樹木２４を接ぎ木し、コップ２９などから水を所定量入れる。所定期間が経過すると、樹木２４から根２４ｂが出て成長し、さらに芽２４ｃが出て成長する。
【００２７】
このようにして、鉢植え樹木セットの使用は、室内に置かれた鉢植え容器２１に育成土２２を入れ、この育成土２２に台木２３を植え、台木２３に樹木２４を接ぎ木して樹木２４が育成され、この樹木２４の育成を長期間に亘って鑑賞でき、かつ室内緑化になる。
【００２８】
第１〜第３の実施の形態において、鉢植え容器は、材質、形状、寸法などに特に制限はない。材質としては、例えば、ガラス、プラスチック、合成化学紙類、植物材、木製材、金属、（金、銀、銅、鉄、その他合金のすべて）、鈍器、陶器、穀物、竹類などがある。また、形状としては、例えば、丸型、角型（三角、四角、五角、六角、七角、八角等）などがある。また、寸法としては、例えば、卓上、室内床に等々に置くことができる大きさである。
【００２９】
育成土は、土壌であれば特に制限はなく、育成用に肥料が用いられている。肥料には有機質肥料と化学肥料があり、有機質肥料は菜種油粕、骨粉、汚泥などの加工残渣や有機性廃棄物を原料に生産されるもので、化学肥料は尿素、燐鉱石、加里塩などを原料として生産されるものである。いずれも、植物に必要な窒素、リン酸、加里などの多量必須元素の成分が一定量以上含まれ、これらを施用することで植物に供給する役割をもつ。
【００３０】
この肥料や水は、鉢植え容器の大きさや樹木の種類に応じて、定期的に供給する。
【００３１】
樹木としては、種々の種類があり、特に限定されない。例えば、茶、コーヒー、ココア、ブルーベリー、柑橘類（ミカン、オレンジ他全般）、りんご、なし、桃、桜、ツツジ、（サツキ）ビワ、青木、桐、杉、モミジ、橡、楢、白樺、銀杏、柿、ブドウ、クリ、キュウイなどがある。
【００３２】
この鉢植え樹木は、長期間に亘って鑑賞でき、かつ室内緑化になり、かつ温暖化を防止する効果がある。また、店内に置くことで、販促用品、宣伝用（各種）となり、教室に置くことで教材となる。また、贈答用の商品ともなる。
【産業上の利用可能性】
【００３３】
この考案は、鉢植え容器で樹木を育成する鉢植え樹木セットおよび育成した樹木を有する鉢植え樹木に適用可能であり、樹木の生育を詳細に長期間に亘って鑑賞する可能で、かつ室内緑化に有益である。
【図面の簡単な説明】
【００３４】
【図１】第１の実施の形態の鉢植え樹木セットを示す図である。
【図２】第１の実施の形態の鉢植え樹木の育成を示す図である。
【図３】第２の実施の形態の鉢植え樹木セットを示す図である。
【図４】第２の実施の形態の鉢植え樹木の育成を示す図である。
【図５】第３の実施の形態の鉢植え樹木セットを示す図である。
【図６】第３の実施の形態の鉢植え樹木の育成を示す図である。
【図７】従来の鉢植え樹木の育成を示す図である。
【図８】従来の鉢植え樹木の育成を示す図である。
【符号の説明】
【００３５】
１，１１，２１  鉢植え容器
２，１２，２２  育成土
３  実
６  樹木
１３  挿し木する樹木
２３  台木
２４  接ぎ木する樹木
９０  ダンボール箱
【図１】
0003145434.tif 000003
【図２】
0003145434.tif 000004
【図３】
0003145434.tif 000005
【図４】
0003145434.tif 000006
【図５】
0003145434.tif 000007
【図６】
0003145434.tif 000008
【図７】
0003145434.tif 000009
【図８】
0003145434.tif 000010